(57)【要約】【課題】全体が小型軽量化されていることにより誰でも簡単にブルズアイ現象をアクセサリーとして楽しむことができる装飾具を提供すること。また、ブルズアイの微妙な色彩や模様の変化を楽しむことができる趣味感に優れた装飾具を提供すること。【解決手段】両側面には切欠部と、上下面内側には支持座と、前後面には窓部及び該窓部内側面にはそれぞれ透過光の光軸方向が９０°で交差する位置で偏光板を取り付けた収容筒に、所定の寸法からなる透明な水晶球を前記支持座に着座させることで収容し、前記切欠部より露出する水晶球を指で保持する場合には、前記収容筒内で該水晶球が回動可能であるよう構成されたことを特徴とする装飾具。【選択図】　図３
2004008644.tif 000002
【特許請求の範囲】
【請求項１】
両側面には切欠部と、上下面内側には支持座と、前後面には窓部及び該窓部内側面にはそれぞれ透過光の光軸方向が９０°で交差する位置で偏光板を取り付けた収容筒に、所定の寸法からなる透明な水晶球を前記支持座に着座させることで収容し、前記切欠部より露出する水晶球を指で保持する場合には、前記収容筒内で該水晶球が回動可能であるよう構成されたことを特徴とする装飾具。
【請求項２】
前記収容筒は全体が略直方体に形成されると共に、前記窓部に取り付けられた前記偏光板は略正方形あるいは多角形に形成されたものであることを特徴とする前記請求項１に記載の装飾具。
【請求項３】
前記収容筒は全体が略円柱体に形成されると共に、前記窓部の前記偏光板の一方が、該窓部に回転可能に嵌合される支持枠を介して取り付けられたものであることを特徴とする前記請求項１に記載の装飾具。
【請求項４】
前記支持座は、平面円周状かつ断面凹凸状に前記上下面を彎曲して形成されたものであることを特徴とする前記請求項１項乃至３に記載の装飾具。
【請求項５】
前記支持座は、前記上下面のそれぞれ略中央に円形の開口部を設けて形成されたものであることを特徴とする前記請求項１項乃至３に記載の装飾具。
【請求項６】
前記支持座は、前記収容筒が弾性素材により形成され、前記上下面内側と前記水晶球の上下方向外周面を当接することで、該収容筒の弾発力で該水晶球を保持するよう構成されたことを特徴とする前記請求項１乃至３に記載の装飾具。
【請求項７】
前記水晶球は、その直径が６．５ｍｍから１８．５ｍｍの範囲であることを特徴とする前記請求項１乃至６に記載の装飾具。
【請求項８】
全体が略直方体あるいは略円柱体に形成された収容筒の前後面には窓部及び該窓部内側面には偏光板を取りつけると共に、所定の寸法からなる透明な水晶球を該収容筒に固着して収容し、前記窓部の前記偏光板の一方は、該窓部に回転可能に嵌合される支持枠を介して取り付けられたものであることを特徴とする装飾具。
【請求項９】
前記窓部の一方の外側面には、拡大レンズを取り付けることを特徴とする前記請求項１乃至８に記載の装飾具。
【発明の詳細な説明】
【０００１】
【発明の属する技術分野】
本発明は、透明な水晶を球状に形成した水晶球を使用して、特に、偏光板を透過した光が水晶球に当ったとき、水晶球の表面に生じるブルズアイ現象と称される光軸象を用いる装飾具に関する。
【０００２】
【従来の技術】
従来、水晶は、その美しさから代表的な宝石の一つとして、結晶形そのままのクリスタルやカッティングされて指輪やネックレスなどの装身具に広く使用されている。
【０００３】
一方、水晶の宝石鑑別をする際、天然の水晶と合成の水晶を見分けるのに使用される偏光器検査において、水晶球に偏光板を介して光を当てると水晶球の表面に一定の光軸象（以下、ブルズアイ現象という）が生じることは広く知られている。
【０００４】
このブルズアイ現象現象は、相対向する偏光板をそれぞれ透過光の光軸方向が９０°で交差するように位置させ、該偏光板の間に水晶球を配置することで観察され、虹のように七色の色彩を放つ略十字状の模様を具現するもので、神秘的な光と色彩を放つ趣味感に優れたものである（図２）。
また、偏光板とは、すだれのような眼に見えない細長い隙間を設けたシートで、光の波長のうち、偏光板の隙間と同じ方向の光軸の光だけを透過させる特性を有するものである（図１）。
【０００５】
ここで、従来の水晶球を用いた装飾品としては、特開平９−１７３１１７号や実用第３０２８２３０号などが知られている。これらの装飾品１００、１２０は、図１２、１３に示すごとく、いずれも水晶球１０１、１２１の両側に偏光板１０３、１２３を介在させ、発光させるためのＬＥＤランプなどの光源１０４、１２４を一方の偏光板の裏面に位置し、他方の偏光板の外側にはブルズアイ現象を見るための拡大レンズ１０６、１２６などを取付け、電源１０７、１２７と共に容器１０８、１２８内に収容されるものである。
【０００６】
このような装飾品においては、ブルズアイ現象を観察するため水晶球と各偏光板を所定の位置に固定する必要があることから、水晶球を偏光板で挟んで一定位置に固定したり、ねじで固定することにより安定させている。
【０００７】
そして、電源１０７、１２７のスイッチを入れて、光源１０４、１２４より光を水晶球１０１，１２１方向に照射し、形成されたブルズアイ現象を拡大レンズ１０６，１２６で観察することが行われている。
【０００８】
【発明が解決しようとする課題】
前記した装飾品は、容器内に水晶球、偏光板、光源、電源が収容されているため、全体が大型化して重量も大きく実際にはアクセサリーとして使用することができない。また、水晶球をねじで一方方向の力だけで押圧するため緩みやすく、光軸がずれてブルズアイ現象が観察できなくなるなどの問題点を有している。
【０００９】
また、前記した装飾品では、水晶球と偏光板が一定位置に固定されているため、一旦具現されたブルズアイが変化することはなく、趣味感にやや欠けた装飾品として使用できるに過ぎなかった。
【００１０】
本発明は、水晶球や偏光板の位置が簡単に固定されかつ全体が小型軽量化されていることにより誰でもアクセサリーとして楽しむことができる装飾具を提供することを目的とする。
また、本発明は、後記するように、ブルズアイ現象が一旦具現化された状態において、一方の偏光板を回転することができるため、ブルズアイの微妙な色彩や模様の変化を楽しむことができる趣味感に優れた装飾具を提供することを目的とする。
【００１１】
【課題を解決するための手段】
上記課題を解決するため、請求項１に記載された本発明は、両側面には切欠部と、上下面内側には支持座と、前後面には窓部及び該窓部内側面にはそれぞれ透過光の光軸方向が９０°で交差する位置で偏光板を取り付けた収容筒に、所定の寸法からなる透明な水晶球を前記支持座に着座させることで収容し、前記切欠部より露出する水晶球を指で保持する場合には、前記収容筒内で該水晶球が回動可能であるよう構成された装飾具であることを特徴とする。請求項２に記載された本発明は、前記収容筒は全体が略直方体に形成されると共に、前記窓部に取り付けられた前記偏光板は略正方形あるいは多角形に形成された前記請求項１に記載の装飾具であることを特徴とする。請求項３に記載された本発明は、前記収容筒は全体が略円柱体に形成されると共に、前記窓部の前記偏光板の一方が、該窓部に回転可能に嵌合される支持枠を介して取り付けられた前記請求項１に記載の装飾具であることを特徴とする。請求項４に記載された本発明は、前記支持座は、平面円周状かつ断面凹凸状に前記上下面を彎曲して形成された前記請求項１項乃至３に記載の装飾具であることを特徴とする。請求項５に記載された本発明は、前記支持座は、前記上下面のそれぞれ略中央に円形の開口部を設けて形成された前記請求項１項乃至３に記載の装飾具であることを特徴とする。請求項６に記載された本発明は、前記支持座は、前記収容筒が弾性素材により形成され、前記上下面内側と前記水晶球の上下方向外周面を当接することで、該収容筒の弾発力で該水晶球を保持するよう構成された前記請求項１乃至３に記載の装飾具であることを特徴とする。請求項７に記載された本発明は、前記水晶球は、その直径が６．５ｍｍから１８．５ｍｍの範囲であることを特徴とする前記請求項１乃至６に記載の装飾具であることを特徴とする。請求項８に記載された本発明は、全体が略直方体あるいは略円柱体に形成された収容筒の前後面には窓部及び該窓部内側面には偏光板を取りつけると共に、所定の寸法からなる透明な水晶球を該収容筒に固着して収容し、前記窓部の前記偏光板の一方は、該窓部に回転可能に嵌合される支持枠を介して取り付けられた装飾具であることを特徴とする。請求項９に記載された本発明は、前記窓部の一方の外側面には、拡大レンズを取り付ける前記請求項１乃至８に記載の装飾具であることを特徴とする。
したがって、全体が小型軽量化されかつ制作費も安価であるため、アクセサリーとして気軽に楽しむことができる。また、偏光板を回転可能にする場合には、ブルズアイの模様や色彩変化を楽しむことができる。さらに、一方の窓部にレンズを取り付けることにより、ブルズアイをより拡大して観察することができる。
【００１２】
【発明の実施の形態】
本発明に係る第１の実施の形態を図１〜５に基づいて説明すると、図１は偏光板と水晶球を透過する光の状態を示す模式図、図２は水晶球の表面に光軸象として現われるブルズアイ現象の模式図、図３は本発明の第１装飾具の斜視図、図４は図３の前後方向の断面図、図５は図３の上下方向の断面図、図６は図３の両側方向の断面図である。
【００１３】
第１装飾具１０は、偏光板１５、１６を取り付けた窓部１２、１３と内側には支持座１８を形成した収容筒１１に、水晶球Ｘを該支持座１８に着座させて収容し、該水晶球Ｘが収容筒１１内で回動可能となるよう構成したものである。
【００１４】
収容筒１１は、例えば、主素材として弾力性を有する透明プラスチックを使用して、全体が略直方体に形成されたもので、両側面から上下面両側方向に至るまで連続した切欠部２０、２１が形成され、前記水晶球Ｘが収容された場合には該切欠部２０、２１より露出するように構成してある。
【００１５】
また、収容筒１１の上下面の内側略中央で窓部１３偏りには、前記水晶球Ｘの形状に沿って平面円周状かつ断面凹凸形状に前記上下面を彎曲して支持座１８が形成されている。したがって、該支持座２３に水晶球Ｘが着座されると、収容筒１１の弾性によって支持座１８が圧着し、水晶球Ｘを回動可能かつ安定して保持することができる。
【００１６】
さらに、収容筒１１の前後面には略中央に略正方形に開口された窓部１２、１３と、該窓部１２、１３により形成される支持枠１２ａ、１３ａには、窓部同様の略正方形状からなる偏光板１５、１６が固着されている。ここで、該偏光板１５、１６は、それぞれ透過光の光軸方向が９０°で交差する位置に取り付けられており、一方の偏光板１５との間には空間部１２ｂが形成され、その間に前記収容された水晶球Ｘが所定の方向で位置されると、ブルズアイ現象が観察できるよう構成してある。
【００１７】
なお、収容筒１１においては、偏光板１５、１６の形状を略正方形や略八角形とすることで、その位置の調節の目安ができるので、前記透過光の光軸方向が９０°で交差する位置に容易に取り付けることができる。
【００１８】
一方、水晶球Ｘは、例えば、透明な水晶クリスタルを研磨して表面がなだらかな球体としたもので、前記ブルズアイ現象をより良く具現し、観察するためには、その直径は６．５ｍｍから１８．５ｍｍの範囲であることが好ましい。
このことより、前記収容筒１１の大きさは、高さ（上下面の寸法）が７．０ｍｍから１９ｍｍの範囲であることが望ましく、奥行き（前後面の寸法）は７．５ｍｍ以上であることが望ましい。
【００１９】
以下、第１装飾具１０の作用について説明すると、水晶球Ｘを収容筒１１内に収容する場合には、一方の切欠部２１から水晶球Ｘを挿入しつつ中心方向に強く押圧すると、収容筒１１が弾力性を有する素材により形成されていることから、支持座１８に容易に着座させ、かつ水晶球Ｘを支持することができる。
【００２０】
次いで、一方の指により、例えば、太陽や電灯などの光源から発せられる光が一方の窓部１３に入射する方向に収容筒１１を支持し、他方の指により切欠部２０、２１より露出した水晶球Ｘを保持して、窓部１２より覗きつつ該収容筒１１内で該水晶球Ｘを回動すると、所定の位置において水晶球Ｘ上に具現されたブルズアイ現象を簡単に観察することができる。
【００２１】
本発明に係る第２の実施の形態を図７〜９に基づいて説明すると、図７は本発明の第２装飾具の斜視図、図８はその上下方向の断面図、図９は側部方向の断面図である。
【００２２】
第２装飾具３０は、外側には、一方の偏光板３３を窓部３７に取り付け、他方の偏光板３２を回転枠４４に取り付け、内側には支持座３８を形成した収容筒３１に、水晶球Ｘを該支持座３８の間に着座させて収容し、該水晶球Ｘが収容筒３１内で回動可能であり、かつ一方の前記偏光板３２が回転可能となるよう構成したものである。
【００２３】
収容筒３１は、例えば、透明プラスチックのような弾性素材を使用して、全体が略円柱形に形成され、その両側面において切欠部４０、４１が形成され、上下面内側には、支持座３８が形成されている。
ここで、支持座３８は、前記水晶球Ｘの形状に沿って、一対の平面三日月形状かつ断面凹凸形状をなすように前記上下面を彎曲して形成したものである。
【００２４】
回転枠４９には偏光板３２が取り付けられ、収容筒３１の前面の窓部３６の外周に溝部３６ａが形成され、そして、回転枠４９の端部には溝部３６ａに嵌合する鍔部４４ａが形成され、該偏光板３２は回転可能に取り付けられる。
一方、収容筒３１の後面には略円形の窓部３７と、また、該窓部３７内側には、第一装飾具１０と同様に、支持枠３７ａを介して偏光板３３が固着して取り付けられる。
【００２５】
なお、水晶球Ｘは、表面がなだらかな球体で、その直径は６．５ｍｍから１５ｍｍの範囲であることが好ましい点は、第１装飾具における収容筒１１と同様である。
【００２６】
第２装飾具３０の作用について説明すると、水晶球Ｘを収容筒３１の切り欠き部４０、４１の一方より収容筒３１に挿入すると、支持座３８は長手方向中央で分断されているため、第１装飾具１０よりもさらに容易に、水晶球Ｘは支持座３８に着座し、収容筒３１内で回動可能となる。
ここで、一方の指により収容筒３１を光源に向けて固定し、所定の位置に偏光板３２、３３を位置させておき、他方の指により露出した水晶球Ｘを回動すると、水晶球Ｘ上にブルズアイ現象を観察することができる点は、第１装飾具１と全く同様である。
【００２７】
また、第２装飾具３０では、一旦ブルズアイ現象が具現された状態より、さらに、回転枠４９により取り付けられた偏光板３２を回転することができる。
かかる場合には、例えば、７ｍｍ程度直径の水晶球Ｘに具現されたブルズアイはサークルカラーの７色（例、レッド、イエロー、グリーン、ブルー、バイオレット、パープル）で順次に変化したり、ブルズアイに陰影が表れて微妙な模様の変化が発生することを、本発明の発明者は発見したもので、きわめて趣味感にあふれた装飾具３０が提供できる。
【００２８】
本発明に係る第３の実施の形態を図１０に基づいて説明すると、図１０は本発明の第３装飾具の斜視図である。
【００２９】
第３装飾具５０は、偏光板５５、５６を取り付けた窓部５２、５３と内側には支持座（図示せず）を形成した収容筒６２に、水晶球Ｘを固着して収容したものである。
【００３０】
第３装飾具５０の作用は、前記までの装飾具と略同様であるが、例えば、強力接着剤、止めねじなどを使用し、水晶球Ｘを、収容筒６２内に一定位置に固着することで、ブルズアイ現象を安定して具現することができる。
【００３１】
前記のごとく、いくつかの実施例により本発明を説明したが、それらを以って本発明を前記実施例に限定するものではなく、この発明の精神を逸脱しない限り種々の改変を加えて、多種多様の変更ができることはいうまでもない。
【００３２】
例えば、支持座は、前記上下面のそれぞれ略中央に円形の開口部を設けることによって、上下面に平面円周状かつ断面凹凸状の段差（彎曲）を形成することもできる。　または、水晶球の直径と収容筒の高さ（上下面の寸法）をほぼ同一寸法とすることで、収容筒の素材自体の弾性により水晶球を支持し、かつ回動可能に収容することができるので不要となる。
【００３３】
さらに、本発明では、いずれの装飾具においても、ブルズアイを観察する側の偏光板には拡大レンズを取り付けることができ、かかる場合にはブルズアイの色彩や模様の変化をより鮮明に観察することができる。特に、最も色彩の変化が美しい約７ｍｍ程度の水晶球Ｘを使用する場合、偏光板に拡大レンズを取り付けることで、ブルズアイのリング部分のサークルカラー変化を鮮明に捉えることができる。
【００３４】
【発明の効果】
本発明によれば、簡単な構造であっても、偏光板を取付けた収容筒内に水晶球を回動可能に保持することができ、小型軽量化された安価かつ趣味感にあふれたユニークなアクセサリーを提供することができる。
また、一旦アクセサリーに具現されたブルズアイ現象を、偏光板を回転することにより、さらに、その模様や色彩変化を楽しむことができる。
そして、前記アクセサリーは、上部に形成された輪環にチェーンを挿通することなどにより、ペンダントなどのユニークな装身具として使用することができる。
【図面の簡単な説明】
【図１】偏光板と水晶球を透過する光の状態を示す模式図である。
【図２】水晶球の表面に光軸象として現われるブルズアイ現象の模式図である。
【図３】本発明の第１装飾具の斜視図である。
【図４】図３の前後方向の断面図である。
【図５】図３の上下方向の断面図である。
【図６】図３の両側方向の断面図である。
【図７】本発明の第２装飾具の斜視図である。
【図８】図７の上下方向の断面図である。
【図９】図７の側部方向の断面図である。
【図１０】本発明の第３装飾具の斜視図である。
【図１１】本発明の第１装飾具の使用状態図である。
【図１２】従来の第１装飾品の断面図である。
【図１３】従来の第２装飾品の断面図である。
【符号の説明】
１０　　第１装飾具
１１　　収容筒
１２　　窓部
１２ａ　支持枠
１３　　窓部
１３ａ　支持枠
１５　　偏光板
１６　　偏光板
１８　　支持座
２０　　切欠部
２１　　切欠部
３０　　第２装飾具
３１　　収容筒
３２　　偏光板
３３　　偏光板
３６ａ　溝部
３７　　窓部
３８　　支持座
４０　　切欠部
４１　　切欠部
４４　　回転枠
４４ａ　鍔部
５０　　第３装飾具
５２　　窓部
５３　　窓部
５５　　偏光板
５６　　偏光板
６２　　収容筒
【図１】
2004008644.tif 000003
【図２】
2004008644.tif 000004
【図３】
2004008644.tif 000005
【図４】
2004008644.tif 000006
【図５】
2004008644.tif 000007
【図６】
2004008644.tif 000008
【図７】
2004008644.tif 000009
【図８】
2004008644.tif 000010
【図９】
2004008644.tif 000011
【図１０】
2004008644.tif 000012
【図１１】
2004008644.tif 000013
【図１２】
2004008644.tif 000014
【手続補正書】
【提出日】平成14年8月2日(2002.8.2)
【手続補正１】
【補正対象書類名】明細書
【補正対象項目名】図面の簡単な説明
【補正方法】変更
【補正の内容】
【図面の簡単な説明】
【図１】偏光板と水晶球を透過する光の状態を示す模式図である。
【図２】水晶球の表面に光軸象として現われるブルズアイ現象の模式図である。
【図３】本発明の第１装飾具の斜視図である。
【図４】図３の前後方向の断面図である。
【図５】図３の上下方向の断面図である。
【図６】図３の両側方向の断面図である。
【図７】本発明の第２装飾具の斜視図である。
【図８】図７の上下方向の断面図である。
【図９】図７の側部方向の断面図である。
【図１０】本発明の第３装飾具の斜視図である。
【図１１】従来の第１装飾品の断面図である。
【図１２】従来の第２装飾品の断面図である。
【符号の説明】
１０　　第１装飾具
１１　　収容筒
１２　　窓部
１２ａ　支持枠
１３　　窓部
１３ａ　支持枠
１５　　偏光板
１６　　偏光板
１８　　支持座
２０　　切欠部
２１　　切欠部
３０　　第２装飾具
３１　　収容筒
３２　　偏光板
３３　　偏光板
３６ａ　溝部
３７　　窓部
３８　　支持座
４０　　切欠部
４１　　切欠部
４４　　回転枠
４４ａ　鍔部
５０　　第３装飾具
５２　　窓部
５３　　窓部
５５　　偏光板
５６　　偏光板
６２　　収容筒